(57)【要約】【課題】予め、工場において、煙突の周囲を覆う覆設部材及び煙突を形成し、工事現場において、覆設部材を建物の屋根に貫通配置し、覆設部材を固定手段により屋根に固定し、覆設部材にストーブの煙突を固定することによって建物の屋根に煙突を容易に貫挿配置することができ、覆設部材により煙突火災等の煙突事故を防ぐことができ、屋根への煙突の取付施工工事の作業性を向上することができる。【解決手段】建物Ｍの屋根Ｒに上記煙突Ｅの周囲を覆う覆設部材１が貫通配置され、周囲部材２及び天板部材３の外壁面材２ａ・３ａ及び内壁面材２ｂ・３ｂ間に断熱材４が内装され、周囲部材の内壁面材で囲まれた空隙部Ｄに上記煙突が貫挿配置され、天板部材の外壁面材及び内壁面材に煙突が貫挿され、覆設部材を屋根に固定する固定手段Ｆが設けられている。【選択図】図２
2018048527.tif 000002
【特許請求の範囲】
【請求項１】
建物の屋根にストーブの煙突を貫挿配置するための煙突覆い装置であって、上記屋根に上記煙突の周囲を覆う覆設部材が貫通配置され、該覆設部材は周囲部材及び天板部材により形成され、該周囲部材及び天板部材は外壁面材及び内壁面材による二重構造に形成され、該周囲部材及び天板部材の外壁面材及び内壁面材間に断熱材が内装され、該周囲部材の内壁面材で囲まれた空隙部に上記煙突が貫挿配置され、該天板部材の外壁面材及び内壁面材に該煙突が貫挿され、該覆設部材を屋根に固定する固定手段が設けられたことを特徴とする煙突覆い装置。
【請求項２】
上記固定手段として、上記屋根の小屋梁、垂木及び母屋を含むことを特徴とする請求項１記載の煙突覆い装置。
【請求項３】
上記覆設部材は三角筒状に形成され、該覆設部材の三つの稜線の内の一つの稜線が上記屋根の屋根勾配方向の棟側位置に配置されたことを特徴とする請求項１又は２記載の煙突覆い装置。
【請求項４】
上記煙突は外筒及び内筒による二重構造に形成され、該外筒及び内筒間に断熱材が内装されたことを特徴とする請求項１〜３のいずれか１項に記載の煙突覆い装置。
【請求項５】
上記覆設部材の周囲部材の外面と上記屋根との間に雨仕舞部を配設したことを特徴とする請求項１〜４のいずれか１項に記載の煙突覆い装置。
【発明の詳細な説明】
【技術分野】
【０００１】
本発明は、例えば、薪ストーブやペレットストーブなどの各種のストーブに使用される煙突覆い装置に関するものである。
【背景技術】
【０００２】
従来、この種の煙突覆い装置として、現場工事において、建物の屋根にストーブの煙突を貫通する貫通開口部を形成し、貫通開口部に煙突を貫挿し、煙突を各種の木材等により釘やビスを用いて屋根に固定する固定工事と共に屋根の貫通開口部からの屋根裏への雨水の浸入を防ぐ雨仕舞い工事を施す構造が知られている。
【先行技術文献】
【特許文献】
【０００３】
【特許文献１】実用新案登録第３１７６６４５号
【発明の概要】
【発明が解決しようとする課題】
【０００４】
しかしながら上記従来構造の場合、煙突の屋根への固定工事及び貫通開口部の雨仕舞い工事の施工にあっては、その殆どの工事が現場工事となっており、それだけ、工事時間が長時間必要となって施工作業性が低下すると共に施工コストが高くなることがあるという不都合を有している。
【課題を解決するための手段】
【０００５】
本発明はこれらの不都合を解決することを目的とするもので、本発明のうちで、請求項１記載の発明は、建物の屋根にストーブの煙突を貫挿配置するための煙突覆い装置であって、上記屋根に上記煙突の周囲を覆う覆設部材が貫通配置され、該覆設部材は周囲部材及び天板部材により形成され、該周囲部材及び天板部材は外壁面材及び内壁面材による二重構造に形成され、該周囲部材及び天板部材の外壁面材及び内壁面材間に断熱材が内装され、該周囲部材の内壁面材で囲まれた空隙部に上記煙突が貫挿配置され、該天板部材の外壁面材及び内壁面材に該煙突が貫挿され、該覆設部材を屋根に固定する固定手段が設けられたことを特徴とする煙突覆い装置にある。
【０００６】
又、請求項２記載の発明は、上記固定手段として、上記屋根の小屋梁、垂木及び母屋を含むことを特徴とするものであり、又、請求項３記載の発明は、上記覆設部材は三角筒状に形成され、該覆設部材の三つの稜線の内の一つの稜線が上記屋根の屋根勾配方向の棟側位置に配置されたことを特徴とするものである。
【０００７】
又、請求項４記載の発明は、上記煙突は外筒及び内筒による二重構造に形成され、該外筒及び内筒間に断熱材が内装されたことを特徴とするものであり、又、請求項５記載の発明は、上記覆設部材の周囲部材の外面と上記屋根との間に雨仕舞部を配設したことを特徴とするものである。
【発明の効果】
【０００８】
本発明は上述の如く、請求項１記載の発明にあっては、予め、工場において、煙突の周囲を覆う覆設部材及び煙突を形成し、工事現場において、覆設部材を建物の屋根に貫通配置し、覆設部材を固定手段により屋根に固定し、覆設部材にストーブの煙突を固定することによって建物の屋根に煙突を容易に貫挿配置することができ、覆設部材により煙突火災等の煙突事故を防ぐことができ、屋根への煙突の取付施工工事の作業性を向上することができ、かつ、覆設部材は周囲部材及び天板部材により形成され、周囲部材及び天板部材は外壁面材及び内壁面材による二重構造に形成され、周囲部材及び天板部材の外壁面材及び内壁面材間に断熱材が内装され、周囲部材の内壁面材で囲まれた空隙部に上記煙突が貫挿配置され、天板部材の外壁面材及び内壁面材に煙突が貫挿されているから、煙突のドラフト効果を高めることができ、それだけ、煙道内におけるタールや煤の発生を抑制することができ、屋根に対する煙突からの遮熱性を向上することができ、煙突火災等の煙突事故を防ぐことができ、屋根への煙突の取付施工工事を良好に行うことができる。
【０００９】
又、請求項２記載の発明にあっては、上記固定手段として、上記屋根の小屋梁、垂木及び母屋を含んで構成されているから、工事現場における、屋根への煙突の取付施工工事の作業性を向上することができ、又、請求項３記載の発明にあっては、上記覆設部材は三角筒状に形成され、覆設部材の三つの稜線の内の一つの稜線が上記屋根の屋根勾配方向の棟側位置に配置されているから、棟側位置から屋根勾配方向下方位置に向かって流れる積雪を左右に分断することができ、いわゆる、雪割作用により積雪の落下を円滑に行うことができる。
【００１０】
又、請求項４記載の発明にあっては、上記煙突は外筒及び内筒による二重構造に形成され、外筒及び内筒間に断熱材が内装されているから、煙突のドラフト効果を高めることができ、煙道内におけるタールや煤の発生を抑制することができ、屋根に対する煙突からの遮熱性を向上することができ、煙突火災等の煙突事故を防ぐことができ、又、請求項５記載の発明にあっては、上記覆設部材の周囲部材の外面と上記屋根との間に雨仕舞部を配設したから、建物の屋根裏等への雨水の浸入を防ぐことができ、屋根への煙突の取付施工工事を良好に行うことができる。
【図面の簡単な説明】
【００１１】
【図１】本発明の実施の第一形態例の部分切欠斜視図である。
【図２】本発明の実施の第一形態例の部分縦断面図である。
【図３】本発明の実施の第一形態例の部分平断面図である。
【図４】本発明の実施の第一形態例の部分縦断面図である。
【図５】本発明の実施の第一形態例の部分分解斜視図である。
【図６】本発明の実施の第一形態例の部分平断面図である。
【図７】本発明の実施の第一形態例の部分拡大縦断面図である。
【図８】本発明の実施の第一形態例の部分拡大平断面図である。
【図９】本発明の実施の第一形態例の使用状態の説明図である。
【図１０】本発明の実施の第二形態例の部分平断面図である。
【発明を実施するための形態】
【００１２】
図１乃至図１０は本発明の実施の形態例を示し、図１乃至図９は第一形態例、図１０は第二形態例である。
【００１３】
図１乃至図９の第一形態例において、Ｍは建物、Ｒは屋根であって、この場合、金属板葺き屋根に適用され、図９の如く、建物Ｍの屋内にストーブＳが配置され、ストーブＳの排煙部に煙突Ｅの下部が接続され、煙突Ｅの上部は屋根Ｒの貫通開口部Ｋを貫通して屋外に突出配置されている。
【００１４】
１は覆設部材であって、上記屋根Ｒの貫通開口部Ｋに貫挿配置され、上記煙突Ｅの周囲を覆う構造に形成されている。
【００１５】
この覆設部材１は周囲部材２及び天板部材３により形成され、図１、図２、図３、図４の如く、周囲部材２及び天板部材３は０．５ｍｍ厚程度のステンレス等の金属製の外壁面材２ａ・３ａ及び同じくステンレス等の金属製の内壁面材２ｂ・３ｂによる二重構造に形成され、周囲部材２及び天板部材３の外壁面材２ａ・３ａ及び内壁面材２ｂ・３ｂ間に粉末や繊維による約５ｃｍの断熱材４・４が内装され、周囲部材２の内壁面材２ｂで囲まれた空隙部Ｄに上記煙突Ｅが貫挿配置され、天板部材３の外壁面材３ａ及び内壁面材３ｂに煙突Ｅが貫挿され、上記覆設部材１に屋根Ｒを固定する固定手段Ｆを設けて構成している。
【００１６】
この場合、図１、図２、図３、図４の如く、上記固定手段Ｆとして、上記屋根Ｒの小屋梁Ｈ、垂木Ｔ及び母屋Ｂを含む構造に形成されている。
【００１７】
又、この場合、図１、図２、図３の如く、上記覆設部材１は一辺が約８０ｃｍ程度の三角筒状に形成され、覆設部材１の三つの稜線Ｌ・Ｌ・Ｌの内の一つの稜線Ｌが上記屋根Ｒの屋根勾配方向の棟側位置Ｇに配置されている。
【００１８】
又、この場合、図７、図８の如く、上記煙突Ｅはステンレス等の金属製の直径が約２０ｃｍ程度、厚さ０．５ｍｍ程度の外筒Ｅ１及び同じくステンレス等の金属製の内筒Ｅ２による二重構造に形成され、外筒Ｅ１及び内筒Ｅ２間に粉末や繊維による約５ｃｍ程度の断熱材Ｅ３が内装され、振止材Ｅ４により煙突Ｅを覆設部材１に固定し、煙突Ｅの上方開口端に排気トップＥ５が取り付けられている。
【００１９】
又、この場合、図２、図４の如く、上記覆設部材１の周囲部材２の側面２ｃ・２ｃ・２ｃと上記屋根Ｒとの間に雨仕舞部５を配設して構成している。
【００２０】
この場合、図１、図２、図３、図４、図５、図６の如く、三角筒状の覆設部材１の三つの稜線Ｌ・Ｌ・Ｌの内の一つの稜線Ｌを上記屋根Ｒの屋根勾配方向の棟側位置Ｇに配置し、図５の如く、小屋梁Ｈ・Ｈと小屋束Ｈ１・Ｈ１との交差部間に二個の下部支持桟６・６を架設し、下部支持桟６・６間に覆設部材１の周囲部材２の三個の側面２ｃ・２ｃ・２ｃに沿う形状の三角組桟材７を釘やビスにより固定架設し、三角組桟材７の内面と覆設部材１の周囲部材２の三個の側面２ｃ・２ｃ・２ｃとの間に調節材８・８・８を介在して覆設部材１及び三角組桟材７を釘やビスにより連結固定し、これにより覆設部材１の下部を小屋梁Ｈに連結固定し、さらに、図１、図３の如く、上下の母屋Ｂ・Ｂ間に架設された三個の垂木Ｔ・Ｔ・Ｔの内の中央の垂木Ｔを覆設部材１の大きさに応じて上下に切欠し、切欠した中央の垂木Ｔの屋根勾配方向上側の側面と左右の垂木Ｔ・Ｔの屋根勾配方向下側の上面の間に左右二個の上部支持桟９・９を覆設部材１の左右の側面に沿って斜めハ状に架設し、左右の上部支持桟９・９の下部間に位置して母屋Ｂ上面に支持桟１０を釘やビスにより固定し、左右二個の上部支持桟９・９及び支持桟１０と覆設部材１の周囲部材２の三個の側面２ｃ・２ｃ・２ｃとの間に調節材８・８・８を介在して覆設部材１、調節材８・８・８、上部支持桟９・９及び支持桟１０を釘やビスにより連結固定し、これにより覆設部材１の上部を母屋Ｂに連結固定し、覆設部材１の上部及び下部を屋根Ｒに連結固定するように構成している。
【００２１】
５は雨仕舞部であって、図２、図４の如く、上記垂木Ｔ・・上に野地板Ｎが取り付けられ、野地板Ｎ上に防水シートＣを敷設し、防水シートＣ上に金属屋根材Ｒ１・・を配設し、野地板Ｎ、防水シートＣ及び金属屋根材Ｒ１・・に覆設部材１が貫通する貫通開口部Ｋを形成し、金属屋根材Ｒ１に覆設部材１の周囲部材２の三個の側面２ｃ・２ｃ・２ｃに沿った立上壁板Ｑを形成し、又は、周囲部材２の三個の側面２ｃ・２ｃ・２ｃに沿った立上壁板Ｑをもつ枠体を形成し、立上壁板Ｑと周囲部材２の三個の側面２ｃ・２ｃ・２ｃとの間をコーキング等により防水処理を施し、煙突Ｅの上部外周面に雨仕舞カラーＥ６を取り付けて構成している。
【００２２】
この実施の第一形態例は上記構成であるから、例えば、図１、図２、図３の如く、予め、工場において、煙突Ｅの周囲を覆う覆設部材１及び煙突Ｅを形成し、工事現場において、覆設部材１を建物Ｍの屋根Ｒに貫通配置し、覆設部材１を固定手段Ｆにより屋根Ｒに固定し、覆設部材１にストーブＳの煙突Ｅを固定することによって建物Ｍの屋根Ｒに煙突Ｅを容易に貫挿配置することができ、覆設部材１により煙突火災等の煙突事故を防ぐことができ、屋根Ｒへの煙突Ｅの取付施工工事の作業性を向上することができ、かつ、覆設部材１は周囲部材２及び天板部材３により形成され、周囲部材２及び天板部材３は外壁面材２ａ・３ａ及び内壁面材２ｂ・３ｂによる二重構造に形成され、周囲部材２及び天板部材３の外壁面材２ａ・３ａ及び内壁面材２ｂ・３ｂ間に断熱材４が内装され、周囲部材２の内壁面材２ｂで囲まれた空隙部Ｄに上記煙突Ｅが貫挿配置され、天板部材３の外壁面材３ａ及び内壁面材３ｂに煙突Ｅが貫挿されているから、煙突Ｅのドラフト効果を高めることができ、それだけ、煙道内におけるタールや煤の発生を抑制することができ、屋根Ｒに対する煙突Ｅからの遮熱性を向上することができ、煙突火災等の煙突事故を防ぐことができ、屋根Ｒへの煙突Ｅの取付施工工事を良好に行うことができる。
【００２３】
この場合、図１、図２、図３、図４の如く、上記固定手段Ｆとして、上記屋根Ｒの小屋梁Ｈ、垂木Ｔ及び母屋Ｂを含んで構成されているから、工事現場における、屋根Ｒへの煙突Ｅの取付施工工事の作業性を向上することができ、又、この場合、図３、図９の如く、上記覆設部材１は三角筒状に形成され、覆設部材１の三つの稜線Ｌ・Ｌ・Ｌの内の一つの稜線Ｌが上記屋根Ｒの屋根勾配方向の棟側位置Ｇに配置されているから、棟側位置Ｇから屋根勾配方向下方位置に向かって流れる積雪を左右に分断することができ、いわゆる、雪割作用により積雪の落下を円滑に行うことができる。
【００２４】
又、この場合、図７、図８の如く、上記煙突Ｅは外筒Ｅ１及び内筒Ｅ２による二重構造に形成され、外筒Ｅ１及び内筒Ｅ２間に断熱材Ｅ３が内装されているから、煙突Ｅのドラフト効果を高めることができ、煙道内におけるタールや煤の発生を抑制することができ、屋根Ｒに対する煙突Ｅからの遮熱性を向上することができ、煙突火災等の煙突事故を防ぐことができ、又、この場合、図２、図４の如く、上記覆設部材１の周囲部材２の外面２ａ・２ａと上記屋根Ｒとの間に雨仕舞部５を配設したから、建物Ｍの屋根裏等への雨水の浸入を防ぐことができ、屋根Ｒへの煙突Ｅの取付施工工事を良好に行うことができる。
【００２５】
図１０の第二形態例は別例構造を示し、この場合、覆設部材１は一辺が約８０ｃｍ程度の四角筒状に形成され、覆設部材１は四角筒状の周囲部材２及び天板部材３により形成され、周囲部材２及び天板部材３は外壁面材２ａ・３ａ及び内壁面材２ｂ・３ｂによる二重構造に形成され、周囲部材２及び天板部材３の外壁面材２ａ及び内壁面材２ｂ間に断熱材４が内装され、周囲部材２の内壁面材２ｂで囲まれた空隙部Ｄに上記煙突Ｅが貫挿配置され、天板部材３の外壁面材３ａ及び内壁面材３ｂに煙突Ｅが貫挿され、覆設部材１を屋根Ｒに固定する固定手段Ｆが設けられている。
【００２６】
尚、第二形態例の固定手段Ｆにあっては、上記三角組桟材７と、上部支持桟９・９及び支持桟１０からなる三角状枠体とをそれぞれ四角筒状の覆設部材１の形状に合わせて四角組枠状に形成し、その他、上記第一形態例と同様な構造で覆設部材１を屋根に固定するように構成している。
【００２７】
この第二形態例にあっても、上記第一形態例の覆設部材１が三角筒状に形成されている効果を除いて略同様な作用効果を得ることができる。
【００２８】
尚、本発明は上記実施の形態例に限られるものではなく、例えば、金属葺き屋根に限らず、瓦屋根や陸屋根にも適用することができ、又、覆設部材１の構造や大きさ、形態は適宜変更して設計される。
【００２９】
以上、所期の目的を充分達成することができる。
【符号の説明】
【００３０】
Ｍ    建物
Ｒ    屋根
Ｓ    ストーブ
Ｅ    煙突
Ｄ    空隙部
Ｆ    固定手段
Ｈ    小屋梁
Ｔ    垂木
Ｂ    母屋
Ｌ    稜線
Ｇ    棟側位置
Ｅ１    外筒
Ｅ２    内筒
Ｅ３    断熱材
１    覆設部材
２    周囲部材
２ａ    外壁面材
２ｂ    内壁面材
３    天板部材
３ａ    外壁面材
３ｂ    内壁面材
４    断熱材
５    雨仕舞部
【図１】
2018048527.tif 000003
【図２】
2018048527.tif 000004
【図３】
2018048527.tif 000005
【図４】
2018048527.tif 000006
【図５】
2018048527.tif 000007
【図６】
2018048527.tif 000008
【図７】
2018048527.tif 000009
【図８】
2018048527.tif 000010
【図９】
2018048527.tif 000011
【図１０】
2018048527.tif 000012